(57)【要約】【解決手段】長手方向に延びる長手方向軸Ｘを有し、空洞シリンダ２２の内壁で形成される第１の噛み合わせ構造７４を含む、空洞シリンダ２２から構成される使い捨ての注射器２０。注射器２０はシリンダ２２に流体を連通するための針チップ２４及びシリンダ２２内に挿入可能なプランジャー２８を含む。幹部２９及び幹部２９に分離可能に接続される頭部３４を有するプランジャー２８。第２の噛み合わせ構造４６を含む頭部３４。第１の噛み合わせ構造７４が第２の噛み合わせ構造４６と噛み合い、それによってシリンダ２２内にプランジャー２８が固定され、ストロークの端の抑留位置まで長手軸方向に長手軸方向のストロークを経て移動可能なプランジャー２８。抑留位置において、頭部３４がシリンダ２２の中で固定されたままになるように、所定の長手軸方向の力を加えることによって、幹部２９をストロークの挿入又は引き込み方向に長手方向に移動を試みた場合、幹部２９は頭部３４から分離されるように構成される。【選択図】図１２
2009537180.tif 000002
【特許請求の範囲】
【請求項１】
長手方向に延びる長手方向の軸を有し、シリンダの内壁において形成される第１の噛み合わせ構造を含む空洞シリンダと、
前記シリンダに流体を連通する針チップと、
前記シリンダ内に挿入可能なプランジャーと、から構成され、
前記プランジャーは幹部と前記幹部に分離可能に接続される頭部を有し、前記頭部は第２の噛み合わせ構造を含み、
前記プランジャーは前記長手方向に長手方向のストロークを経て前記ストロークの終端で抑留位置に移動可能であり、前記第１の噛み合わせ構造は前記第２の噛み合わせ構造に噛み合い、それによって前記シリンダ内の前記プランジャーを固定し、
前記抑留位置において、前記頭部は、それによって、前記ストロークを経て前記頭部の運動を防止して固定され、前記ストロークの挿入又は引き込み方向のどちらかに前記幹部を長手方向に移動させようとした場合、前記頭部は前記シリンダの内部で固定されたままで、所定の長手方向の力の利用により、前記幹部は前記頭部から離れるように構成される、
ことを含む使い捨て注射器。
【請求項２】
前記幹部及び頭部は前記プランジャーの壊れやすい領域によって接続される、
請求項１に記載の注射器。
【請求項３】
前記壊れやすい領域は、前記幹部に接続されたＵ字型の突起及び前記頭部に接続されたピンを含む、
請求項２に記載の注射器。
【請求項４】
前記壊れやすい領域は、前記ピンを前記Ｕ字型の部分に壊れやすく接続する４つのつまみを含む、
請求項３に記載の注射器。
【請求項５】
前記第１の噛み合わせ構造は、前記シリンダの内壁に形成される１つ以上の歯を含み、前記第２の噛み合わせ構造は、前記頭部に形成され、前記１つ以上の歯と噛み合い得る肩部を含む、
請求項１ないし４のうちいずれか１項に記載の注射器。
【請求項６】
前記頭部は前記シリンダの内壁を密閉してはめ込むように構成されたピストンシールを含み、前記第２の噛み合わせ構造は前記ピストンシールの先端側に配置される、
請求項１ないし５のうちいずれか１項に記載の注射器。
【請求項７】
前記頭部から前記幹部を分離するために必要な前記所定の長手方向の力は約５Ｎ〜１５Ｎの間である、
請求項１ないし６のうちいずれか１項に記載の注射器。
【請求項８】
前記頭部が前記ストロークの少なくとも９５％を移動した場合に、前記抑留位置に達する、
請求項１ないし７のうちいずれか１項に記載の注射器。
【請求項９】
長手方向に延びる長手方向の軸を有し、シリンダの内壁において形成される第１の噛み合わせ構造を含む空洞シリンダと、
前記シリンダに流体を連通する針チップと、
幹部と前記幹部に分離可能に接続される頭部を有し、前記頭部は第２の噛み合わせ構造を含み、前記シリンダ内に挿入可能なプランジャーと、
前記シリンダ及び前記プランジャーと関連した戻り止め装置と、から構成され、
前記プランジャーは前記長手方向に長手方向のストロークを経て前記ストロークの終端で抑留位置に移動可能であり、前記第１の噛み合わせ構造は前記第２の噛み合わせ構造に噛み合い、それによって前記シリンダ内の前記プランジャーは固定され、
前記戻り止め装置は、前記プランジャーが前記抑留位置に近づくと、前記長手方向に前記プランジャーの移動を抑制するように構成される、
ことを含む使い捨て注射器。
【請求項１０】
前記戻り止め装置は、前記シリンダの前記内壁に形成される第１の戻り止め部分及び前記幹部に形成される第２の戻り止め部分を含み、前記プランジャーが前記抑留位置に近づくと、前記第１の戻り止め位置は前記第２の戻り止め部分と噛み合うように構成される、
請求項９に記載の注射器。
【請求項１１】
前記第１の戻り止め部分は、前記シリンダの前記内壁から前記シリンダの空洞に突き出す突起を含み、それによって前記空洞は横断面を部分的に減少させる、
請求項１０に記載の注射器。
【請求項１２】
前記第２の戻り止め部分は、前記幹部に形成された隆起を含む、
請求項１１に記載の注射器。
【請求項１３】
前記隆起は前記突起との噛み合いにおいて変形しやすい、
請求項１２に記載の注射器。
【請求項１４】
前記隆起は前記幹部の向かい側から突き出る２つのリブを含む、
請求項１２又は１３に記載の注射器。
【請求項１５】
各リブは第１及び第２の終端で前記幹部に接続される中央部分を含み、これにより開口が前記中央部分と前記幹部との間に規定される、
請求項１４に記載の注射器。
【請求項１６】
前記第２の噛み合わせ構造は前記シリンダで一体化して形成される、
請求項１ないし１５のうちいずれか１項に記載の注射器。
【請求項１７】
長手方向に延びる長手方向の軸を有し、シリンダにおいて形成される第１の噛み合わせ構造を含む空洞シリンダと、
前記シリンダは、前記シリンダの先端部と前記シリンダの後端部との間に延びる空洞を有し、前記空洞は先端の空洞部分及び前記第１の噛み合わせ構造によって規定される規制部によって分離される後端の空洞部分から構成され、
前記先端の空洞部分内に取り付けられる針取り付け部と、
前記針取り付け部の上に取り付けられる針チップと、
前記後端の空洞部分内に挿入可能なプランジャーと、から構成され、
前記プランジャーは幹部と前記幹部に分離可能に接続された頭部とを有し、前記頭部は第２の噛み合わせ構造を有し、前記プランジャーは、前記長手方向に長手方向のストロークを経て、前記第１の噛み合わせ構造が前記第２の噛み合わせ構造に噛み合う前記ストロークの終端で抑留位置に移動可能であり、それによって前記後端の空洞部分内で前記プランジャーを固定する、
ことを含む使い捨て注射器。
【請求項１８】
前記針取り付け部は、前記先端の空洞部分内に形成された対応する環状溝内で抑留するように受け取られる、放射状に延びた縁を含む、
請求項１５に記載の注射器。
【請求項１９】
長手方向に延びる長手方向軸を有するダイの中にプラスチックのブランクを配置するステップ、
前記ブランクを前記長手方向軸に沿って第１の側から押し、それによって針取り付け部を受け取るための先端の空洞部分を形成するステップ、
前記ブランクを第２の異なる側から押し、それによってプランジャーを受け取るための後端の空洞部分を形成するステップ、
を含み、
前記第１の側から押すステップ及び前記第２の側から押すステップは、前記プランジャーと噛み合うために第１の噛み合わせ構造を形成し、前記第１の噛み合わせ構造は、前記先端の空洞部分及び前記後端の空洞部分を分離する規制部によって規定される、
注射器のシリンダを形成する方法。
【請求項２０】
前記第１の噛み合わせ構造を形成するステップは１つ以上の成形された歯の形成を含む、請求項１９に記載の方法。
【発明の詳細な説明】
【技術分野】
【０００１】
本発明は使い捨ての注射器に関する。特に、本発明は投薬及び予防接種の１度の投与に適する自滅注射器に関する。
【背景技術】
【０００２】
注射器の再使用がもたらす感染症伝搬の危険性は、世界中、特に発展途上国及び第３世界の国における深刻な問題である。ＨＩＶ（Human immunodeficiency virus）及びＢ型肝炎、同様にその他血液によって感染する病気は、注射器が何度も再使用された場合に、人々の間で容易に感染する。そのような問題は特に、使用者間で適切に殺菌することなく同じ注射器を普通に共有する静注薬物使用者の間で蔓延している。
【０００３】
加えて、適切に作成された健康基準が欠けているいくつかの発展途上国では、免疫付与のような医学的目的に使用される注射器は殺菌が不十分なまま、その後再使用される。これは、不適切な方法で殺菌が実施された場合、時には、患者の間で血液によって感染する病気の伝搬を招くことが知られている。
【０００４】
使い捨て注射器は既知である。しかし、そのような注射器の問題は、繰り返し使用を許容する従来の注射器よりも、概して、製造にかなり費用がかかることである。従って、大規模な予防接種のような利用における、現存の使い捨て注射器の使用に関連した大幅な追加支出は、発展途上国又は第３世界の国において、一般的に実現可能ではない。
【発明の概要】
【発明が解決しようとする課題】
【０００５】
本発明は、前記不利点の少なくとも１つを打開する又は改善すること、又は少なくとも実用的な代替物を提供することを目的とする。
【課題を解決するための手段】
【０００６】
第１の形態では、本発明は、
長手方向に延びる長手方向の軸を有し、シリンダの内壁において形成される第１の噛み合わせ構造を含む空洞シリンダと、
前記シリンダに流体を連通する針チップと、
前記シリンダ内に挿入可能なプランジャーと、から構成され、
前記プランジャーは幹部と前記幹部に分離可能に接続される頭部を有し、前記頭部は第２の噛み合わせ構造を含み、
前記プランジャーは前記長手方向に長手方向のストロークを経て前記ストロークの終端の抑留位置に移動可能であり、前記第１の噛み合わせ構造は前記第２の噛み合わせ構造に噛み合い、それによって前記シリンダ内に前記プランジャーを固定し、
抑留位置において、前記ストロークの挿入又は引き込み方向のどちらかに幹部を長手方向に移動させようとした場合、前記頭部は前記シリンダの内部に固定されたままで、所定の長手方向の力の利用により、幹部は頭部から離れるように構成される、
ことを含む使い捨て注射器を提供する。
【０００７】
前記幹部及び頭部は前記プランジャーの壊れやすい領域によって接続されることが好ましい。
【０００８】
前記壊れやすい領域は、前記幹部に接続されたＵ字型の突起及び前記頭部に接続されたピンを含むことが好ましい。
【０００９】
前記壊れやすい領域は、前記ピンを前記Ｕ字型の部分に壊れやすく接続する４つのつまみを含むことが好ましい。
【００１０】
前記第１の噛み合わせ構造は、前記シリンダの内壁に形成される１つ以上の歯を含み、前記第２の噛み合わせ構造は、前記頭部に形成され、前記１つ以上の歯と噛み合い得る肩部を含むことが好ましい。
【００１１】
前記頭部から前記幹部を分離するために必要な前記所定の長手方向の力は約５Ｎ〜１５Ｎの間であることが好ましい。
【００１２】
第２の形態において、本発明は
長手方向に延びる長手方向の軸を有し、シリンダの内壁において形成される第１の噛み合わせ構造を含む空洞シリンダと、
前記シリンダに流体を連通する針チップと、
幹部と前記幹部に分離可能に接続される頭部を有し、前記頭部は第２の噛み合わせ構造を含み、前記シリンダ内に挿入可能なプランジャーと、
前記シリンダ及び前記プランジャーと関連した戻り止め装置と、から構成され、
前記プランジャーは前記長手方向に長手方向のストロークを経て前記ストロークの終端で抑留位置に移動可能であり、前記第１の噛み合わせ構造は前記第２の噛み合わせ構造に噛み合い、それによって前記シリンダ内の前記プランジャーは固定され、
前記戻り止め装置は、前記プランジャーが前記抑留位置に近づくと、前記長手方向に前記プランジャーの移動を抑制するように構成される、
ことを含む使い捨て注射器を提供する。
【００１３】
前記戻り止め装置は、前記シリンダの前記内壁に形成される第１の戻り止め部分及び前記幹部に形成される第２の戻り止め部分を含み、前記プランジャー前記抑留位置に近づくと、前記第１の戻り止め部分は前記第２の戻り止め部分と噛み合うように構成されることが好ましい。
【００１４】
前記第１の戻り止め部分は、前記シリンダの前記内壁から前記シリンダの空洞に突き出す突起を含み、それによって前記空洞は横断面を部分的に減少させることが好ましい。
【００１５】
前記第２の戻り止め部分は、前記幹部に形成された隆起を含むことが好ましい。
【００１６】
前記隆起は前記突起との噛み合いにおいて変形しやすいことが好ましい。
【００１７】
前記隆起は前記幹部の向かい側から突き出る２つのリブを含むことが好ましい。
【００１８】
各リブは第１及び第２の終端で前記幹部に接続される中央部分を含み、これにより開口が前記中央部分と前記幹部との間に規定されるようすることが好ましい。
【００１９】
第３の形態では、本発明は、
長手方向に延びる長手方向の軸を有し、シリンダにおいて形成される第１の噛み合わせ構造を含む空洞シリンダと、
前記シリンダは、前記シリンダの先端部と前記シリンダの後端部との間に延びる空洞を有し、前記空洞は先端の空洞部分及び前記第１の噛み合わせ構造によって規定される規制部よって分離される後端の空洞部分から構成され、
前記先端の空洞部分内に取り付けられる針取り付け部と、
前記針取り付け部の上に取り付けられる針チップと、
前記後端の空洞部分内に挿入可能なプランジャーと、から構成され、
前記プランジャーは幹部と前記幹部に分離可能に接続された頭部とを有し、前記頭部は第２の噛み合わせ構造を有し、前記プランジャーは、前記長手方向に長手方向のストロークを経て、前記第１の噛み合わせ構造が前記第２の噛み合わせ構造に噛み合う前記ストロークの終端で抑留位置に移動可能であり、それによって前記後端の空洞部分内でプランジャーを固定する、
ことを含む使い捨て注射器を提供する。
【００２０】
前記針取り付け部は前記先端の空洞部分内に形成された対応する環状溝内で抑留するように受け取られる、放射状に延びた縁を含むことが好ましい。
【００２１】
第４の形態では、本発明は注射器のシリンダを形成する方法を提供し、注射器のシリンダを形成する方法は、
長手方向に延びる長手方向軸を有するダイの中にプラスチックのブランクを配置するステップ、
前記ブランクを前記長手方向軸に沿って第１の側から押し、それによって針取り付け部を受け取るための先端の空洞部分を形成するステップ、
前記ブランクを第２の異なる側から押し、それによってプランジャーを受け取るための後端の空洞部分を形成するステップ、
を含み、
前記第１の側から押すステップ及び前記第２の側から押すステップは、プランジャーと噛み合うために第１の噛み合わせ構造を形成し、前記第１の噛み合わせ構造は、前記先端の空洞部分及び前記後端の空洞部分を分離する規制部によって規定される。
【００２２】
前記第１の噛み合わせ構造を形成するステップは１つ以上の成形された歯の形成を含むことが好ましい。
【００２３】
本発明の好適な実施形態は、一例として、添付の図を参照して説明される。
【図面の簡単な説明】
【００２４】
【図１】使い捨て注射器の断面の側面図である。
【図２】図１の注射器のプランジャーの断面図である。
【図３】図２のプランジャーの後端部の詳細な断面図である。
【図４】図２及び３のプランジャーの先端部の詳細な図である。
【図５】図１の注射器のシリンダの先端部の図である。
【図６】図１の注射器のシリンダの先端部の断面図である。
【図７】注射作業完了後の図１の注射器の断面図である。
【図８】図１の注射器の針取り付け部の断面図である。
【図９】図８の針取り付け部の先端部である。
【図１０】図１の注射器のゴムのピストンシールの断面図である。
【図１１】図１の注射器の針をカバーするための針キャップの断面図である。
【図１２】針キャップを付けた図１の注射器の先端部の断面図である。
【発明を実施するための形態】
【００２５】
使い捨ての注射器は図に描写され、参照番号２０で示される。図１に見られるように注射器２０は、長手方向軸Ｘを有する空洞シリンダ２２を含み、シリンダ２２は、シリンダ２２の先端部２６に配置されるステンレス鋼の針チップ２４に接続される。シリンダ２２は、外部から中に含まれた流体の量を見ることが出来る、透明なプラスチック材料から作られる。注射器２０は、シリンダ２２の後端部３０で形成される開口部に挿入可能なプランジャー２８も含む。
【００２６】
図２ないし図４は単離したプランジャー２８を示す。プランジャー２８は、シリンダ２２の空洞の後端部３０に挿入可能な頭部３４を含む。プランジャー２８は頭部３４に分離可能に接続されている幹部２９も含む。頭部３４及び幹部２９は、プランジャー２８の壊れやすい領域４８によって接続され、プランジャー２８は長手方向に長手方向ストロークを経てストロークの終端に向かって抑留位置に移動可能である。一般的に頭部３４がストロークの少なくとも９５％移動した場合に抑留位置に達し、抑留位置において、頭部３４は固定され、それにより挿入又は引き込み方向のどちらかに前記ストロークを経て頭部３４の運動が防止される。
【００２７】
図２及び図４に見られるように、頭部３４は環状に突き出た２つの肩部３６、３８を有し、それらは図１０で示された、柔軟性のあるピストンシール４０を保つための支持部として機能する。
【００２８】
ピストンシール４０は合成ゴムから製造され、外部表面に環状のリングを隆起させ、液体を密封するためにシリンダ２２の内壁に干渉して接触する。穴４１は、肩部３６、３８の間で、頭部３４上にピストンシール４０を取り付けるために、ピストンシール４０を貫通するように形成される。
【００２９】
テーパ突起部４２の直径は幹部２９に向かって進むにつれて増加するように、頭部３４は、注射器２０の針チップ２４の端部に配置可能な丸いチップを備えたテーパ突起部４２で終端し、環状の肩部４６の形状をした第２の噛み合わせ要素４６で終端する。環状の肩部４６が首部４４を超えて放射状に拡大するように、突起部４２は、肩部４６よりも小さい直径を有する首部４４及び頭部３４に接続される。
【００３０】
プランジャー２８の壊れやすい領域４８は、図４において最もよく見られる。壊れやすい領域４８は、幹部２９に接続されたＵ字型構造４９を含むことが好ましく、プランジャー２８の長手方向軸Ｙにそれぞれ平行に延びる２つの対抗する腕部５０によって形成される。腕部５０は、軸Ｙが通る空間５２によって分離される。ピン５４が軸Ｙと同軸方向になるように、壊れやすい領域４８は、頭部３４に接続され、対抗する腕部５０の間の空間５２に突き出るピン５４も含む。
【００３１】
ピン５４の端部５６は、２つの壊れやすいつまみ５１によって両側で腕部５０に取り付けられる。ピン５４は、腕部５０の端部の近くで始まる、直径が増加する領域５８を有する。直径が増加した領域５８において、ピン５４は、さらに２つ壊れやすいつまみ５３によって、腕部５０の端部にも接続される。従って頭部３４は、壊れやすいつまみ５１、５３の４つの位置で幹部２９に接続される。壊れやすいつまみ５３の寸法は０．４ｍｍ×０．３ｍｍ、壊れやすいつまみ５１の寸法は０．０１７５ｍｍ×０．３ｍｍであることが好ましい。
【００３２】
幹部２９は頭部３４に接続される一方で、隙間６０はＵ字型構造４９の基底部５９及びピン５４の端部５６の間に存在する。
【００３３】
プランジャー２８の後端部は、その部分に形成された指当て部６２を有し、それはプランジャー２８を使用するためにユーザがシリンダ２２に押し込むことができる表面を提供する。
【００３４】
図６は、先端の空洞２３ａがブランクで形成されるようなシリンダ２２の長手方向軸Ｘに沿って、先端部２６に力が加えられるように、ダイに加圧され又は打ち抜かれるプラスチック成型動作によって形成されたシリンダ２２を示す。後端の空洞２３ｂも、シリンダ１１の先端部２６及び後端部３０の間のブランクで形成されるように、力はシリンダ２２の長手方向軸Ｘに沿って反対方向にも加えられる。
【００３５】
加圧動作は先端の空洞２３ａ及び後端の空洞２３ｂを分離する規制部によって規定される第１の噛み合い部も形成する。第１の噛み合い部の形成工程は、１つ以上の成形された歯の形成を含むことが好ましい。形成工程の利点は、先端及び後端の空洞２３ａ、２３ｂの形成と同様の工程中に歯が形成されることを許容することである。
【００３６】
戻り止め装置は、シリンダ２２の内壁で形成された突起７１状の第１の戻り止め部７１及び前記幹部２８の隆起６４状の対応する第２の戻り止め部６４の形をとって、シリンダ２２とプランジャー２８を結合させる。戻り止め装置が、プランジャーが抑留位置に近づくような長手方向のプランジャー２８の移動を抑止するために構成されるように、突起７１は隆起６４と噛み合わせ可能である。
【００３７】
図７に示すように、後端の空洞２３ｂの入口は、ユーザが簡単に頭部３４及びゴムピストンシール４０を後端の空洞２３ｂに押し込むことが出来るように、後端部３０におけるシリンダ２２の最初の開口部はテーパ領域６５を有する。テーパ領域６５は第１戻り止め部７１に隣接し、それはシリンダ２２の内部壁からシリンダ２２内の空洞に突き出て、それによって部分的に空洞の横断面を減少させる突起７１の形で実施される。隆起６４は幹部２９の反対側から突き出る２つのリブ６４ａ、６４ｂを含むことが好ましい。開口が中央部及び幹部２９の間で規定されるように、各リブ６４ａ、６４ｂは第１及び第２の端部によって幹部２９に接続される中央部を含む。
【００３８】
突起７１は後端の空洞２３ｂの横断面領域を部分的に減少させる規制部として機能するように、先端部２６に向かい突起７１に隣接した、後端の空洞２３ｂの横断面領域は増加する。
【００３９】
針２４は、図８で最もよく見られる針保持軸受け筒６６の形状の針取り付け部６６に恒久的に取り付けられる。針取り付け部６６は、シリンダ２２内で対応する環状の溝７０と噛み合う、放射状に広がった縁６８を有し、図６で最もよく見られる。針取り付け部６６の環状の縁６８は環状の溝７０にはめ込まれ、針２４は取り外しできないように注射器２０に接続される。丸い端部を備えた一般的に円錐形状をした空洞７２は、針取り付け部６６の後端部で形成される。
【００４０】
図５及び６を参照すると、第１の噛み合わせ構造７４は、先端部２６に向かってシリンダ２２の中に、環状の溝部７０に隣接して４つの歯の形状をとって形成される。図示されていない他の装置では、４より多い又は少ない歯７４があってもよい。歯７４はシリンダ２２の先端部２６に向かって突き出るように、歯７４は空洞のシリンダ２２の内部に向かって対角線上に突き出る。
【００４１】
図６に見られるように、各歯７４及びシリンダ２４の壁との間で形成される空間７６が存在する。歯７４は弾性的に変形可能であり、歯７４はシリンダ２２の外周周りに均等に間隔を空けるのが好ましい。
【００４２】
注射器２０は、針３４のチップを覆い、バネ錠によって針取り付け部６６と噛み合う、針キャップ８０を含む。
【００４３】
注射器２０の動作を述べる。投薬又は予防接種の名目で液体の注射が投与される場合、医療実行者は針チップ２４をあらわにする針キャップ８０を取り除く。その後実行者は、ピストン３４をシリンダ２２に押し込むために、指当て部６２に親指で力を加える。ピストン３４は、頭部３４がシリンダ２２の先端部２６に近づくように、ストロークの端に近づくと、幹部２９の隆起６４はテーパ領域６５に入り込み、その後シリンダ２２の突起７１と噛み合う。
【００４４】
挿入工程のこの点において、隆起６４は突起７１と接触し、噛み合い、それは挿入方向のプランジャー２８の動きを抑制し、それによって長手軸方向にプランジャー２８をさらに挿入するために要求される力が増加される。ユーザは抵抗力の増加を感じることができ、そのため、頭部３４が指定された“充填量”位置に近づいていることを、注射器２０を視覚的に見ることなく知ることが出来る。
【００４５】
この時点で、シリンダ２２内でさらに頭部３４を押すと、シリンダ２２は頭部３４を捉えるように頭部３４と噛み合い、それによって注射器２０が使用されるのを防ぐ。
【００４６】
それから、ユーザは（図示されない）液体の小瓶に針２４を挿入し、次にシリンダ２２に多量の液体を取り出すために、注射器２０の端の針２４から離れるように幹部２９を引っ込める。取り出し動作は、ユーザが片手の第１及び第２指を、幹部２９の一方側に配置されている指当て部６２の下面で形成される２つのフランジ６５に置いた際に、実行される。液体の所望の投薬量を計測することができるように、シリンダ２２の側面のマーキングが中に含まれる液体の量を示す。ゴムピストンシール４０はピストン３４とシリンダ２２の空洞の内壁との間での漏れを防ぐ。
【００４７】
その次に、ユーザは、上方に向いた針を有する注射器を保持し、シリンダ２２にピストン３４を再び押し込むために、指当て部６２に親指で力を加える。シリンダ２２に存在する空気は、そのとき注射器２０から放出され、シリンダ２２内に液体のみが残る。
【００４８】
針２４は、その後、患者の筋組織又は要求に応じて静脈に挿入され、シリンダ２２の内容物は指当て部６２にさらに力を加えることによって患者に注入される。頭部３４がストロークの端部に近づくと、円筒形状の突起４２は、針取り付け部６６内の対応する円筒形状の空洞７２に入り込む。肩部４６は、その後、歯７４と接触し、さらに力が加わるにつれ、歯７４は、シリンダ２２の内壁に向かって放射状に弾性的に移動される。その後、肩部４６は歯７４の端を通過し、シリンダ２２から引っ込めることに対し肩部４６を規制して、歯７４は元の位置に跳ね返る。この段階で、注入は完了し、実質上全ての液体がシリンダ２２から排出されたように、円筒形状の頭部４２は対応する円筒形状の空洞７２の中で捕捉されたように収容される。
【００４９】
この段階で、所定の長手軸方向の力を適用してユーザが挿入又は引き込み方向へ幹部２９に力を加えることによって頭の幹部２９の長手軸方向への移動を試みた場合、頭部３４はシリンダ２２内で固定されたままになるように、４つの壊れやすいつまみ５１、５３の破裂によって幹部２９は頭部３４から分離する。４つの壊れやすいつまみ５１、５３を破裂させるために必要な力は一般的に５Ｎから１５Ｎの範囲内である。しかし、これは壊れやすいつまみ５１、５３の断面領域を変更することによって、所望のレベルに設定することも可能である。
【００５０】
図８は注入工程の完了後の注射器２０を示し、頭部３４は幹部２９から分離している。幹部２９及び頭部３４が注入サイクルの完了後分離されない場合には、分離は、シリンダ２２から頭部３４の引き込み又はさらに頭部３４のシリンダ２２への挿入が試みられた場合に生じる。
【００５１】
注入が完了した場合、完了後の注射器２０は厳重容器に入れて処分される。
【００５２】
本発明は具体的な例を参照して説明されたが、本発明は他の多くの構造も実施可能であることを、当業者によって理解される。
【図１】
2009537180.tif 000003
【図２】
2009537180.tif 000004
【図３】
2009537180.tif 000005
【図４】
2009537180.tif 000006
【図５】
2009537180.tif 000007
【図６】
2009537180.tif 000008
【図７】
2009537180.tif 000009
【図８】
2009537180.tif 000010
【図９】
2009537180.tif 000011
【図１０】
2009537180.tif 000012
【図１１】
2009537180.tif 000013
【図１２】
2009537180.tif 000014
【手続補正書】
【提出日】平成19年2月5日(2007.2.5)
【手続補正１】
【補正対象書類名】明細書
【補正対象項目名】０００６
【補正方法】変更
【補正の内容】
【０００６】
第１の形態では、本発明は、
長手方向に延びる長手方向の軸を有し、シリンダの内壁において形成される第１の噛み合わせ構造を含む空洞シリンダと、
前記シリンダに関連して固定され、前記シリンダに流体を連通する針チップと
前記シリンダ内に挿入可能なプランジャーと、から構成され、
前記プランジャーは幹部と前記幹部に分離可能に接続される頭部を有し、前記頭部は前記頭部の先端に配置された第２の噛み合わせ構造を含み、
前記プランジャーは前記長手方向に長手方向のストロークを経て前記ストロークの終端の抑留位置に移動可能であり、前記第１の噛み合わせ構造は前記第２の噛み合わせ構造に噛み合い、それによって前記シリンダ内に前記プランジャーを固定し、
前記抑留位置において、前記ストロークの挿入又は引き込み方向のどちらかに前記幹部を長手方向に移動させようとした場合、前記頭部は前記シリンダの内部に固定されたままで、所定の長手方向の力の利用により、幹部は頭部から離れるように構成される、
ことを含む使い捨て注射器を提供する。
【手続補正２】
【補正対象書類名】明細書
【補正対象項目名】００１２
【補正方法】変更
【補正の内容】
【００１２】
第２の形態において、本発明は
長手方向に延びる長手方向の軸を有し、シリンダの内壁において形成される第１の噛み合わせ構造を含む空洞シリンダと、
前記シリンダに関連して固定され、前記シリンダに流体を連通する針チップと、
幹部と前記幹部に分離可能に接続される頭部を有し、前記頭部は前記頭部の先端に配置された第２の噛み合わせ構造を含み、前記シリンダ内に挿入可能なプランジャーと、
前記シリンダ及び前記プランジャーと関連した戻り止め装置と、から構成され、
前記プランジャーは前記長手方向に長手方向のストロークを経て前記ストロークの終端で抑留位置に移動可能であり、前記第１の噛み合わせ構造は前記第２の噛み合わせ構造に噛み合い、それによって前記シリンダ内の前記プランジャーは固定され、
前記戻り止め装置は、前記プランジャーが前記抑留位置に近づくと、前記長手方向に前記プランジャーの移動を抑制するように構成される、
ことを含む使い捨て注射器を提供する。
【手続補正３】
【補正対象書類名】明細書
【補正対象項目名】００１９
【補正方法】変更
【補正の内容】
【００１９】
第３の形態では、本発明は、
長手方向に延びる長手方向の軸を有し、シリンダにおいて形成される第１の噛み合わせ構造を含む空洞シリンダと、
前記シリンダは、前記シリンダの先端部と前記シリンダの後端部との間に延びる空洞を有し、前記空洞は先端の空洞部分及び前記第１の噛み合わせ構造によって規定される規制部によって分離される後端の空洞部分から構成され、
前記先端の空洞部分内に取り付けられる針取り付け部と、
前記針取り付け部の上に取り付けられ、前記シリンダに関連して固定される針チップと、
前記末尾の空洞部分内に挿入可能なプランジャーと、から構成され、
前記プランジャーは幹部と前記幹部に分離可能に接続された頭部とを有し、前記頭部は前記頭部の先端に配置された第２の噛み合わせ構造を有し、前記プランジャーは、前記長手方向に長手方向のストロークを経て、前記第１の噛み合わせ構造が前記第２の噛み合わせ構造に噛み合う前記ストロークの終端で抑留位置に移動可能であり、それによって前記後端の空洞部分内でプランジャーを固定する、
ことを含む使い捨て注射器を提供する。
【手続補正４】
【補正対象書類名】明細書
【補正対象項目名】００２１
【補正方法】変更
【補正の内容】
【００２１】
第４の形態では、本発明は注射器のシリンダを形成する方法を提供し、注射器のシリンダを形成する方法は、
長手方向に延びる長手方向軸を有するダイの中にプラスチックのブランクを配置するステップ、
前記ブランクを前記長手方向軸に沿って前記第１の側から押し、それによって針取り付け部を受け取るための先端の空洞部分を形成するステップ、
前記ブランクを第２の異なる側から押し、それによってプランジャーを受け取るための後端の空洞部分を形成するステップ、
を含み、
前記第１の側から押すステップ及び前記第２の側から押すステップは、前記プランジャーの頭部の先端部分と噛み合うために第１の噛み合わせ構造を形成し、前記第１の噛み合わせ構造は、前記先端の空洞部分及び前記後端の空洞部分を分離する規制部によって規定される。
【手続補正５】
【補正対象書類名】特許請求の範囲
【補正対象項目名】全文
【補正方法】変更
【補正の内容】
【特許請求の範囲】
【請求項１】
長手方向に延びる長手方向の軸を有し、シリンダの内壁において形成される第１の噛み合わせ構造を含む空洞シリンダと、
前記シリンダに関連して固定され、前記シリンダに流体を連通する針チップと、
前記シリンダ内に挿入可能なプランジャーと、から構成され、
前記プランジャーは幹部と前記幹部に分離可能に接続される頭部を有し、前記頭部は前記頭部の先端に配置された第２の噛み合わせ構造を含み、
前記プランジャーは前記長手方向に長手方向のストロークを経て前記ストロークの終端で抑留位置に移動可能であり、前記第１の噛み合わせ構造は前記第２の噛み合わせ構造に噛み合い、それによって前記シリンダ内の前記プランジャーを固定し、
前記抑留位置において、前記頭部は、それによって、前記ストロークを経て前記頭部の運動を防止して固定され、前記ストロークの挿入又は引き込み方向のどちらかに前記幹部を長手方向に移動させようとした場合、前記頭部は前記シリンダの内部で固定されたままで、所定の長手方向の力の利用により、前記幹部は前記頭部から離れるように構成される、
ことを含む使い捨て注射器。
【請求項２】
前記幹部及び頭部は前記プランジャーの壊れやすい領域によって接続される、
請求項１に記載の注射器。
【請求項３】
前記壊れやすい領域は、前記幹部に接続されたＵ字型の突起及び前記頭部に接続されたピンを含む、
請求項２に記載の注射器。
【請求項４】
前記壊れやすい領域は、前記ピンを前記Ｕ字型の部分に壊れやすく接続する４つのつまみを含む、
請求項３に記載の注射器。
【請求項５】
前記第１の噛み合わせ構造は、前記シリンダの内壁に形成される１つ以上の歯を含み、前記第２の噛み合わせ構造は、前記頭部に形成され、前記１つ以上の歯と噛み合い得る肩部を含む、
請求項１ないし４のうちいずれか１項に記載の注射器。
【請求項６】
前記頭部は前記シリンダの内壁を密閉してはめ込むように構成されたピストンシールを含み、前記第２の噛み合わせ構造は前記ピストンシールの先端側に配置される、
請求項１ないし５のうちいずれか１項に記載の注射器。
【請求項７】
前記頭部から前記幹部を分離するために必要な前記所定の長手方向の力は約５Ｎ〜１５Ｎの間である、
請求項１ないし６のうちいずれか１項に記載の注射器。
【請求項８】
前記頭部が前記ストロークの少なくとも９５％を移動した場合に、前記抑留位置に達する、
請求項１ないし７のうちいずれか１項に記載の注射器。
【請求項９】
長手方向に延びる長手方向の軸を有し、シリンダの内壁において形成される第１の噛み合わせ構造を含む空洞シリンダと、
前記シリンダに関連して固定され、前記シリンダに流体を連通する針チップと、
幹部と前記幹部に分離可能に接続される頭部を有し、前記頭部は前記頭部の先端に配置された第２の噛み合わせ構造を含み、前記シリンダ内に挿入可能なプランジャーと、
前記シリンダ及び前記プランジャーと関連した戻り止め装置と、から構成され、
前記プランジャーは前記長手方向に長手方向のストロークを経て前記ストロークの終端で抑留位置に移動可能であり、前記第１の噛み合わせ構造は前記第２の噛み合わせ構造に噛み合い、それによって前記シリンダ内の前記プランジャーは固定され、
前記戻り止め装置は、前記プランジャーが前記抑留位置に近づくと、前記長手方向に前記プランジャーの移動を抑制するように構成される、
ことを含む使い捨て注射器。
【請求項１０】
前記戻り止め装置は、前記シリンダの前記内壁に形成される第１の戻り止め部分及び前記幹部に形成される第２の戻り止め部分を含み、前記プランジャーが前記抑留位置に近づくと、前記第１の戻り止め位置は前記第２の戻り止め部分と噛み合うように構成される、
請求項９に記載の注射器。
【請求項１１】
前記第１の戻り止め部分は、前記シリンダの前記内壁から前記シリンダの空洞に突き出す突起を含み、それによって前記空洞は横断面を部分的に減少させる、
請求項１０に記載の注射器。
【請求項１２】
前記第２の戻り止め部分は、前記幹部に形成された隆起を含む、
請求項１１に記載の注射器。
【請求項１３】
前記隆起は前記突起との噛み合いにおいて変形しやすい、
請求項１２に記載の注射器。
【請求項１４】
前記隆起は前記幹部の向かい側から突き出る２つのリブを含む、
請求項１２又は１３に記載の注射器。
【請求項１５】
各リブは第１及び第２の終端で前記幹部に接続される中央部分を含み、これにより開口が前記中央部分と前記幹部との間に規定される、
請求項１４に記載の注射器。
【請求項１６】
前記第１の噛み合わせ構造は前記シリンダで一体化して形成される、
請求項１ないし１５のうちいずれか１項に記載の注射器。
【請求項１７】
長手方向に延びる長手方向の軸を有し、シリンダにおいて形成される第１の噛み合わせ構造を含む空洞シリンダと、
前記シリンダは、前記シリンダの先端部と前記シリンダの後端部との間に延びる空洞を有し、前記空洞は先端の空洞部分及び前記第１の噛み合わせ構造によって規定される規制部によって分離される後端の空洞部分から構成され、
前記先端の空洞部分内に取り付けられる針取り付け部と、
前記針取り付け部の上に取り付けられ、前記シリンダに関連して固定される針チップと、
前記末尾の空洞部分内に挿入可能なプランジャーと、から構成され、
前記プランジャーは幹部と前記幹部に分離可能に接続された頭部とを有し、前記頭部は前記頭部の先端に配置された第２の噛み合わせ構造を有し、前記プランジャーは、前記長手方向に長手方向のストロークを経て、前記第１の噛み合わせ構造が前記第２の噛み合わせ構造に噛み合う前記ストロークの終端で抑留位置に移動可能であり、それによって前記後端の空洞部分内で前記プランジャーを固定する、
ことを含む使い捨て注射器。
【請求項１８】
前記針取り付け部は、前記先端の空洞部分内に形成された対応する環状溝内で抑留するように受け取られる、放射状に延びた縁を含む、
請求項１５に記載の注射器。
【請求項１９】
長手方向に延びる長手方向軸を有するダイの中にプラスチックのブランクを配置するステップ、
前記ブランクを前記長手方向軸に沿って前記第１の側から押し、それによって針取り付け部を受け取るための先端の空洞部分を形成するステップ、
前記ブランクを第２の異なる側から押し、それによってプランジャーを受け取るための後端の空洞部分を形成するステップ、
を含み、
前記第１の側から押すステップ及び前記第２の側から押すステップは、前記プランジャーの頭部の先端部分と噛み合うために第１の噛み合わせ構造を形成し、前記第１の噛み合わせ構造は、前記先端の空洞部分及び前記後端の空洞部分を分離する規制部によって規定される、
注射器のシリンダを形成する方法。
【請求項２０】
前記第１の噛み合わせ構造を形成するステップは１つ以上の成形された歯の形成を含む、請求項１９に記載の方法。
【国際調査報告】
2009537180.tif 000015
2009537180.tif 000016
2009537180.tif 000017
2009537180.tif 000018
2009537180.tif 000019